(57)【要約】      （修正有）【課題】ボルト又はナットの緩み防止【解決手段】座金の表面周方向に放射状に多数本の座金突起６を備え、その座金突起はナットの頭部裏面又はボルトの頭部裏面の周方向に放射状に形成されている多数本の頭部突起と噛み合うことができ、ナット又はボルトの締め付け後は前記噛み合いが緩みにくくなるか又は緩まないようにした座金１であり、座金突起６は乗り越え斜面９と係止面と両面の上り交差部に稜線部１１を、下り交差部に谷部を備えた山形であり、乗り越え斜面は稜線部よりもナット又はボルトの締め付け回転方向手前にあり、係止面は稜線部よりもナット又はボルトの締め付け回転方向先方にあり、前記稜線部１１及び谷部１２は円弧状の座金である。【選択図】図１
2017110787.tif 000002
【特許請求の範囲】
【請求項１】
中心部に貫通孔を備えた座金であり、その表面周方向に放射状に多数本の座金突起を備え、その座金突起はナットの頭部又はボルトの頭部の裏面周方向に放射状に形成されている多数本の頭部突起と噛み合うことができ、ナット又はボルトの締め付け後は前記噛み合いが緩みにくい又は緩まないようにした座金であり、
前記座金突起は乗り越え斜面と、係止面と、両面の上り交差部に稜線部を、下り交差部に谷部を備えた山形であり、乗り越え斜面は稜線部よりもナット又はボルトの締め付け回転方向手前にあり、係止面は稜線部よりもナット又はボルトの締め付け回転方向先方にあり、前記稜線部及び谷部は円弧状であり、
それら乗り越え斜面、係止面、稜線部、谷部が連続波状である、
ことを特徴とする座金。
【請求項２】
請求項１記載の座金において、
乗り越え斜面を締め付け回転方向に緩い傾斜にし、係止面を逆回転（緩み回転）方向に乗り越え斜面よりも急斜面にした、
ことを特徴とする座金。
【請求項３】
請求項１又は請求項２記載の座金において、
座金突起が座金表面の周方向全周に設けられた、
ことを特徴とする座金。
【請求項４】
請求項１から請求項３のいずれか１項に記載の座金において、
座金裏面の数箇所に食い込み突起を備えた、
ことを特徴とする座金。
【請求項５】
請求項１又は請求項２記載の座金において、
座金突起が座金表面の周方向数箇所に間隔をあけて形成され、その間隔部分を座金突起のない無突起部とした、
ことを特徴とする座金。
【請求項６】
請求項５記載の座金において、
座金裏面の周方向数箇所であって、座金表面の無突起部と反対側に食い込み突起が突設され、食い込み突起は対象物に食い込み可能である、
ことを特徴とする座金。
【請求項７】
請求項４又は請求項６記載の座金において、
食い込み突起が、根元から先端に向けて先細りであり、先端部が弧面状又は平面状である、
ことを特徴とする座金。
【請求項８】
請求項４又は請求項６又は請求項７記載の座金において、
食い込み突起の根元周縁部に窪み部を備え、窪み部は、食い込み突起が対象物に食い込むことにより対象物から盛り上がる肉が入ることができる、
ことを特徴とする座金。
【請求項９】
頭部の裏面周方向に放射状に多数本の頭部突起を備え、その頭部突起は座金の表面周方向に放射状に形成されている多数本の座金突起と噛み合うことができ、座金への締め付け後は前記噛み合いが緩みにくい又は緩まないようにしたナットにおいて、
ナットの頭部突起は乗り越え斜面と、係止面と、両面の上り交差部に稜線部を、下り交差部に谷部を備えた山形であり、乗り越え斜面は稜線部よりもナットの締め付け回転方向手前にあり、係止面は稜線部よりもナットの締め付け回転方向先方にあり、
前記稜線部及び谷部は円弧状であり、
それら乗り越え斜面、係止面、稜線部、谷部が連続波状である、
ことを特徴とするナット。
【請求項１０】
請求項９記載のナットにおいて、
乗り越え斜面を締め付け回転方向に緩い傾斜にし、係止面を逆回転（緩み回転）方向に乗り越え斜面よりも急斜面にした、
ことを特徴とするナット。
【請求項１１】
請求項９又は請求項１０記載のナットにおいて、
頭部突起が頭部裏面の周方向全周に設けられた、
ことを特徴とするナット。
【請求項１２】
請求項９又は請求項１０記載のナットにおいて、
頭部突起が頭部裏面の周方向数箇所に間隔をあけて形成され、その間隔部分を頭部突起のない無突起部とした、
ことを特徴とするナット。
【請求項１３】
頭部の裏面周方向に放射状に多数本の頭部突起を備え、その頭部突起は座金の表面周方向に放射状に形成されている多数本の座金突起と噛み合うことができ、ボルトの締め付け後は前記噛み合いが緩みにくい又は緩まないようにしたボルトにおいて、
ボルトの頭部突起は乗り越え斜面と、係止面と、両面の上り交差部に稜線部を、下り交差部に谷部を備えた山形であり、乗り越え斜面は稜線部よりもボルトの締め付け回転方向手前にあり、係止面は稜線部よりもボルトの締め付け回転方向先方にあり、
前記稜線部及び谷部は円弧状であり、
それら乗り越え斜面、係止面、稜線部、谷部が連続波状である、
ことを特徴とするボルト。
【請求項１４】
請求項１３記載のボルトにおいて、
乗り越え斜面を締め付け回転方向に緩い傾斜にし、係止面を逆回転（緩み回転）方向に乗り越え斜面よりも急斜面にした、
ことを特徴とするボルト。
【請求項１５】
請求項１３又は請求項１４記載のボルトにおいて、
頭部突起が頭部裏面の周方向全周に設けられた、
ことを特徴とするボルト。
【請求項１６】
請求項１３又は請求項１４記載のボルトにおいて、
頭部突起が頭部裏面の周方向数箇所に間隔をあけて形成され、その間隔部分を頭部突起のない無突起部とした、
ことを特徴とするボルト。
【請求項１７】
請求項１から請求項８のいずれか1項に記載の座金が、請求項９から請求項１２のいずれか１項に記載のナット頭部の裏面に回転可能にセットされた、
ことを特徴とするナット付き座金。
【請求項１８】
請求項１から請求項８のいずれか1項に記載の座金が、請求項１３から請求項１６のいずれか１項に記載のボルト頭部の裏面に回転可能にセットされた、
ことを特徴とするボルト付き座金。
【発明の詳細な説明】
【技術分野】
【０００１】
本発明は螺子類、特に座金、ナット、ボルト、座金付きナット、座金付きボルトに関する。
【背景技術】
【０００２】
螺子類の緩み止め構造は従来から各種あり、他の部材と噛み合う突起が設けられたものが知られている（特許文献１）。同文献の図５（ａ）（ｂ）にはボルト頭部の裏面に頭部突起が設けられたボルトが、図６にはナット頭部の裏面に頭部突起が設けられたナットが、図３には座金表面に前記頭部突起と噛み合う座金突起を備えた座金が開示されている。前記頭部突起はボルト又はナットを締め付けると前記座金突起と噛み合って、ボルト又はナットの緩みを防止できるようにしたものである。
【先行技術文献】
【特許文献】
【０００３】
【特許文献１】特許第３４７４３４１号公報
【発明の概要】
【発明が解決しようとする課題】
【０００４】
前記特許文献１に開示された螺子類の頭部突起や座金突起（まとめて「突起」ということがある）は、いずれも、突起の先端部（稜線部）が先鋭な山形（端面形状三角形で、座金或いはナット、ボルト等の頭部の径方向に細長：以下同じ）であるため、先端部が欠けたり潰れたりしやすい（欠損し易い）という難点がある。先端部の欠損は螺子類の緩みの原因となり好ましくない。また、それら螺子類を成型するプレス金型の稜線部成型箇所も先鋭であるため、当該部分が欠損しやすく、型持ちしにくい（プレス可能回数が少ない）という難点がある。プレス金型の欠損は成型される製品の精度低下にもつながり、緩みの原因にもなり、好ましくない。
【０００５】
本発明の解決課題は、座金、ナット、ボルト等の螺子類の突起の稜線部が欠損し難く、プレス金型の稜線部成型箇所が欠損し難く、型持ちが良く、多数回のプレス成型ができる座金、ナット、ボルト、座金付きナットと座金付きボルトを提供することにある。
【課題を解決するための手段】
【０００６】
本発明の座金は、中心側の貫通孔から外周方向に放射状に多数本の突起（座金突起）を備え、その座金突起はナット又はボルト（鋲、螺子を含む：以下同じ）の頭部の裏面周方向に放射状に形成されている多数本の山形の頭部突起と噛み合うことができ、ナット又はボルトの締め付け後は前記噛み合いが緩まない（「緩みにくい」を含む：以下同じ）ようにした座金であり、前記座金突起は乗り越え斜面と、係止面と、両面の上り交差部の稜線部と、下り交差部の谷部を備え、乗り越え斜面は稜線部よりもナット又はボルトの締め付け回転方向手前にあり、係止面は稜線部よりもナット又はボルトの締め付け回転方向先方にあり、前記稜線部及び谷部が円弧状であって、側面視連続する波形である座金である。
【０００７】
前記座金突起は座金表面の周方向全周に設けることもできる。前記座金突起は座金表面の周方向数箇所に間隔をあけて設け、その間隔部分を座金突起のない無突起部とすることができる。
【０００８】
前記座金は、座金裏面の周方向数箇所に食い込み突起を備えたものであり、食い込み突起は締め付け材（対象物）に食い込み可能なものであってもよい。食い込み突起は座金の裏面であって前記無突起部と反対の数箇所に設けることもできる。
【０００９】
前記食い込み突起は、根元から先端に向けて先細りであり、先端部が弧面状又は平面状であってもよい。
【００１０】
前記食い込み突起の根元周縁部に窪み部を備え、窪み部は、食い込み突起が対象物に食い込むことにより対象物から盛り上がる肉（盛り上がり肉）が入ることができる大きさとすることができる。
【００１１】
本発明のナットは、ナットの頭部の裏面周方向に放射状に多数本の頭部突起を備え、頭部突起は座金の多数本の座金突起と噛み合うことができ、座金への締め付け後は前記噛み合いが緩まないようにしたナットであり、ナットの頭部突起は乗り越え斜面と、係止面と、両面の上り交差部の稜線部と、下り交差部の谷部を備え、乗り越え斜面は稜線部よりもナットの締め付け回転方向手前にあり、係止面は稜線部よりもナットの締め付け回転方向先方にあり、前記稜線部及び谷部は円弧状であって、側面視連続する波形であるナットである。前記頭部突起は頭部裏面の周方向全周に設けることもできる。頭部突起は頭部裏面の周方向数箇所に間隔をあけて設け、その間隔部分を頭部突起のない無突起部とすることができる。
【００１２】
本発明のボルトは、ボルトの頭部の裏面周方向に放射状に多数本の頭部突起を備え、その頭部突起は座金の頭部表面に放射状に形成されている多数本の座金突起と噛み合うことができ、ボルトの締め付け後は前記噛み合いが緩まないようにしたボルトにおいて、ボルトの頭部突起は乗り越え斜面と、係止面と、両面の上り交差部の稜線部と、下り交差部の谷部を備え、乗り越え斜面は稜線部よりもボルトの締め付け回転方向手前にあり、係止面は稜線部よりもボルトの締め付け回転方向先方にあり、前記稜線部及び谷部は円弧状であり、側面視連続する波形であるボルトである。前記頭部突起は頭部裏面の周方向全周に設けることもできる。頭部突起は頭部裏面の周方向数箇所に間隔をあけて設け、その間隔部分を頭部突起のない無突起部とすることができる。
【００１３】
前記乗り越え斜面は締め付け回転方向に緩やかな上り傾斜であり、前記係止面は締め付けの緩み方向に前記乗り越え斜面よりも急な斜面であってもよい。前記稜線部及び谷部は同じ径又は異なる径の円弧であってもよい。
【００１４】
本発明の座金付きナットは、座金がナット頭部の裏面に回転可能にセットされた座金付きナットであり、座金が前記構造の座金、ナットが前記構造のナットであり、座金突起とナットの頭部突起が座金とナットの相対的回転により互いに噛み合い、ナットの締め付け完了後は前記噛み合いが緩まないようにしたものである。
【００１５】
本発明の座金付きボルトは、座金がボルト頭部の裏面に回転可能にセットされた座金付きボルトであり、座金が前記構造の座金、ボルトが前記構造のボルトであり、座金突起とボルトの頭部突起が座金とボルトの相対的な回転により噛み合い可能であり、ボルトの締め付け完了後は、前記噛み合いが緩まないようにしたものである。
【発明の効果】
【００１６】
本発明の座金、ナット、ボルト、座金付きナット、座金付きボルトは、座金突起も、ナット及びボルトの頭部突起も、稜線部と谷部が円弧状であるため、稜線部も谷部も噛み合い時に欠損し難い。また、両突起成型時にプレス金型も欠損し難く、型持ちがよい（長持ちする）。
【図面の簡単な説明】
【００１７】
【図１】本発明の螺子類の緩み止め構造における座金の一例を示すものであって、（ａ）は斜視図、（ｂ）は（ａ）の座金のＡ矢視図、（ｃ）は座金の他例の断面図、（ｄ）は（ａ）の座金の底面図、（ｅ）は（ｄ）のＢ−Ｂ断面図。
【図２】（ａ）は座金付きナットの正面図、（ｂ）はナットへの座金の組み立て説明図、（ｃ）は（ａ）の座金付きナットの一部断面図、（ｄ）は座金付きナットの他例の一部断面図。
【図３】（ａ）は座金付きボルトの一例を示す正面図、（ｂ）は（ａ）のＰ部の詳細図、（ｃ）は座金突起又は頭部突起の他例を示す説明図。
【図４】（ａ）〜（ｃ）は図３（ａ）の座金付きボルトの組み立て説明図。
【図５】（ａ）〜（ｃ）は図２（ａ）の座金付きナットと図３（ａ）の座金付きボルトで二枚の板材を固定する場合の工程説明図
【図６】（ａ）はナットの一例を示す正面図、（ｂ）はボルトの一例を示す正面図。
【図７】図６（ａ）のナットと、図６（ｂ）のボルトの使用説明図。
【図８】本発明の座金付きナットであって、座金を二枚備えた場合の一例であり、（ａ）は組み立て前の正面図、（ｂ）は組み立て後の一部断面図、（ｃ）は組み立て後の正面図。
【図９】本発明の座金付きボルトであって、座金を二枚備えた場合の一例であり、（ａ）は組み立て前の正面図、（ｂ）は組み立て後の正面図、（ｃ）は使用説明図。
【図１０】（ａ）は座金付きボルトの他例を示す正面図、（ｂ）は（ａ）のＰ部の詳細図。
【発明を実施するための形態】
【００１８】
（座金の実施形態）
本発明の螺子類の一例を、図面を参照して説明する。図１（ａ）の実施形態は、螺子類が座金１の場合である。図１（ａ）に示す座金１は中央部に貫通孔２が形成された環状である。貫通孔２は連結軸２７（図２（ｂ））、ボルト軸３８（図３（ａ））等を挿通可能な孔径である。
【００１９】
［座金突起］
図１（ａ）の座金１の周方向四箇所には山形の座金突起６が多数本形成されており、数本を一群として四群形成されている。四群の座金突起６の間には、座金突起のない無突起部７が形成されている。この無突起部７の裏面四箇所に食い込み突起８が突設されている。四群は一列であり、群数は所望数とすることができる。無突起部７の幅は各群の幅よりも狭くしてある。
【００２０】
図１（ａ）の四箇所（四群）の座金突起６は、表面高台部５の周方向に形成されている。個々の座金突起６は山形であり、乗り越え斜面９（図１（ｂ））と、係止面１０と、稜線部１１と、谷部１２を備えている。乗り越え斜面９は稜線部１１よりも締め付け回転方向手前側に形成され、係止面１０は稜線部１１よりも締め付け回転方向先方に形成され、稜線部１１は乗り越え斜面９と係止面１０の上り交差部（山の頂部）に形成され、谷部１２は乗り越え斜面９と係止面１０との下り交差部（山の底部）に形成されている。稜線部１１の頂部と谷部１２の底部は円弧状（図１（ａ））にして、側面視連続する波形にしてある。円弧状にすることによりボルトやナット等の螺子類の突起（頭部突起）との噛み合いにより欠け難くなり潰れ難くなる（欠損し難くなる）ようにしてある。また、座金1を成型するプレス金型の稜線部１１及び谷部１２の成型箇所が成型時に欠損し難くなって型持ち（長持ち）するようにしてある。
【００２１】
多数本の座金突起６は同じ形状である。座金突起６の突出寸法、乗り越え斜面９の傾斜角度、係止面１０の傾斜角度、稜線部１１及び谷部１２の円弧半径等は座金１の直径、肉厚、用途等に応じて適宜設計することができる。乗り越え斜面９と係止面１０の傾斜角度は同じであってもよく、乗り越え斜面９の締め付け方向への傾斜角度が、係止面１１の緩み止め方向への傾斜角度よりも緩くすることもできる。
【００２２】
座金１は図１（ｃ）に示すように貫通孔２の外側の表面内周縁３と、座金１の表面外周部４との間に、それら表面内周縁３及び表面外周部４よりも一段高い表面高台部５をリング状に形成し、その高台部５の上に山形の座金突起６を設けることもできる。
【００２３】
［食い込み突起］
食い込み突起８は各種形状とすることができる。その一例を図１（ｄ）に示す。食い込み突起８は座金１の裏面周方向四箇所に突設されている（図１（ｄ））。食い込み突起８は、座金１の締め付け回転時に、締め付ける部材或いは連結する部材（以下「対象物」という）４０、４１（図５（ａ）〜（ｃ））に食い込むものである。その形状は、締め付け回転時に対象物４０、４１に食い込み易い形状、例えば、半円錐状、三日月錐状、四角錐状、円錐状（図１（ｅ））といった形状とすることができる。いずれの形状であっても、根元８ｂ（図１（ｅ））側が太く、先端部８ａ側が先細りである。
【００２４】
食い込み突起８の先端部８ａは弧面状（図１（ｅ））或いは平面状にして、食い込み時に先端部８ａが欠損し難く、プレス金型の先端部成型箇所も欠損し難くなるようにすることもできる
【００２５】
［窪み部］
座金１の裏面であって、食い込み突起８の根元８ｂ（図１（ｅ））には窪み部１３が形成されている。この、窪み部１３はプレス金型で座金1の裏面を加圧して食い込み突起８を突設することにより成型される（加圧により窪んだ分だけ食い込み突起８として突出する）。窪み部１３があると、締め付け時に食い込み突起８がその根元８ｂまで対象物４０、４１（図５（ａ）〜（ｃ））に十分に食い込むことができ、その食い込みにより盛り上がる対象物４０、４１の肉（盛り上がり肉）が窪み部１３に入り込んで（食い込んで）座金１が逆戻りしにくくなる（緩みにくくなる）。図１（ｄ）の窪み部１３は食い込み突起８の根元８ｂの全周に円形に成型してあるが、食い込み突起８を押し出すことにより成型できれば、前記以外の形状、広さ、深さ（大きさ）であってもよい。
【００２６】
（座金付きナットの実施形態１）
本発明の螺子類の他例を図２（ａ）〜（ｃ）に示す。この図の螺子類はナット２０の裏面側に座金１を回転自在に組み込んだ座金付きナット２６の場合である。この座金１は図1（ａ）の座金である。
【００２７】
ナット２０の裏面には頭部突起２１が形成されている。この頭部突起２１は乗り越え斜面２２と係止面２３と稜線部２４と谷部２５を備えた山形であり、乗り越え斜面２２、係止面２３の傾斜角度や、稜線部２４、谷部２５の高さや形状等は座金１の座金突起６のそれらと同じにして、座金突起６と噛み合うことができるようにしてある。頭部突起２１はナット２０を締め付け方向に回すと、座金突起６の乗り越え斜面９を乗り越えて回転するが、逆方向（緩み方向：以下同じ）には、頭部突起２１の係止面２３が座金突起６の係止面１０に係止して回転が阻止されるようにしてある。この頭部突起２１の稜線部２４と谷部２５も円弧状にして、頭部突起２１が座金突起６を乗り越えても欠損し難く、プレス金型も成型時に欠損し難くなるようにしてある。
【００２８】
図２（ａ）の座金付きナット２６は、ナット２０を締め付け方向（図２（ａ）の矢印方向）に回転させると、ナット２０の頭部突起２１が座金１の座金突起６と噛み合って座金1を対象物４０、４１（図５（ａ）〜（ｃ））に押し付けて、座金1の裏面の食い込み突起８をそれら対象物に食い込ませることができる。この場合、食い込み突起８の食い込みにより盛り上がる対象物４０、４１の肉が食い込み突起８の根元８ｂの窪み部１３（図１（ｄ）（ｅ））に入って、緩み回転（戻り回転）が防止される。
【００２９】
図２（ａ）に示す座金付きナット２６は、例えば、図２（ｂ）（ｃ）に示す工程で製造することができる。
（１）ナット２０の裏面に突設されている連結軸２７の座金１の貫通孔２に差し込む（図２（ｂ））。
（２）前記（１）の状態で、貫通孔２の下方に突出する連結軸２７の先端部２８（図２（ｃ））を外側にカシメて座金１をナット２０に取付ける（抜け落ちないようにする）。この場合、座金１はナット２０との間に隙間があり回転自在である。
【００３０】
ナット２０の形状は、図２（ｄ）に示すように裾２０ａが垂直なものであってもよい。汎用の他のナットと同様の形状であってもよい。座金１のカシメ凹部１４は図２（ｄ）のように裾広がりの斜面であってもよい。
【００３１】
（座金付きボルトの実施形態１）
本発明の螺子類の他例を図３（ａ）〜（ｃ）に示す。図３（ａ）（ｂ）の螺子類はボルト３０の頭部３１の裏面側に座金１を組み込んだ座金付きボルト３７である。この座金１は図1（ａ）の座金であり、稜線部３５と谷部３６が円弧状である。図３（ｃ）は稜線部３５と谷部３６の径を大小交互に設けた場合である。
【００３２】
ボルト３０の頭部３１の裏面には頭部突起３２が形成されている。この頭部突起３２は乗り越え斜面３３と係止面３４と稜線部３５と谷部３６を備えた山形であり、乗り越え斜面３３、係止面３４のサイズ、傾斜角度、稜線部３５、谷部３６の円弧半径等を座金１の座金突起６と同じにして、座金突起６と噛み合うことができ、座金付きボルト３７を締め付け方向（図３（ａ）の矢印方向）に回すと、頭部突起３２が座金１の座金突起６を乗り越えて回転し、逆方向には、頭部突起３２の係止面３４が座金突起６の係止面１０に係止して回転が阻止されるようにしてある。この稜線部３５の頂部及び谷部３６の底部も円弧状にして、頭部突起３２が座金突起６を乗り越えても欠損し難く、プレス金型の稜線部形成箇所も成型時に欠損し難くなるようにしてある。
【００３３】
図３（ａ）に示す座金付きボルト３７は、例えば、図４（ａ）〜（ｃ）に示す工程で製造することができる。
（１）ボルト３０の頭部３１の裏面に突設されているボルト軸（螺子なし軸）３８（図４（ａ））を座金１の貫通孔２に差し込む（図４（ｂ））。
（２）前記（１）の状態で、座金１の下方に突出するボルト軸３８の外側面に螺子３９（図４（ｃ））を切って座金１を取付ける（抜け落ちないようにする）。この場合、座金１とボルト３０の間に隙間があり、座金１は回転自在である。
【００３４】
［使用例］
図２（ａ）の座金付きナット２６と図３（ａ）の座金付きボルト３７は、例えば、図５（ａ）〜（ｃ）のように使用することができる。
（１）図５（ａ）のように、重ねてある二枚の板材（対象物）４０、４１の上から、座金付きボルト３７のボルト軸３８を図５（ｂ）のように挿入する。
（２）下板４０の下方に突出したボルト軸３８に、座金付きナット２６を螺合して、図５（ｃ）のように、座金付きナット２６を座金１の裏面が下板４０に接触するまで締め付けて、座金１の食い込み突起８を下板４０に食い込ませ、その食い込みにより盛り上がった肉が、食い込み突起８の根元８ｂの窪み部１３（図１（ｄ）（ｅ））に入り込んで座金１の緩みが阻止され、座金付きナット２６の座金突起６と頭部突起２１の噛み合いも緩まないようにする。また、座金付きボルト３７の座金１の食い込み突起８が上板４１に食い込んで、その食い込みにより盛り上がった肉が、食い込み突起８の根元８ｂの窪み部１３（図１（ｅ））内に入って座金１の緩みが阻止され、座金付きボルト３７の座金突起６と頭部突起３２の噛み合いも緩まない。
【００３５】
前記使用例は座金付きナット２６を締め付ける場合であるが、座金付きボルト３７を締め付けることによっても、前記の場合と同様に締付けることができる。
【００３６】
（ナットの実施形態）
本発明の螺子類の他例を図６（ａ）に示す。この螺子類はナット２０の場合であり、このナット２０は図２（ａ）のナット２０に座金１が取り付けられていないものである。したがって、頭部突起２１は乗り越え斜面２２と係止面２３と稜線部２４と谷部２５を備えた山形であり、乗り越え斜面２２、係止面２３のサイズ、傾斜角度、稜線部２４及び谷部２５の円弧半径等を座金１（図１（ａ））の座金突起６と同じにして、座金突起６と噛み合うようにしてある。この稜線部２４の頂部及び谷部２５の底部も円弧状にして、頭部突起２１が座金突起６を乗り越えても欠損し難く、プレス金型の稜線部成型箇所も成型時に欠損し難くなるようにしてある。
【００３７】
（ボルトの実施形態）
本発明の螺子類の他例を図６（ｂ）に示す。この図の螺子類はボルト３０の場合であり、このボルト３０は図３（ａ）のボルト３０に座金１が取り付けられていないものである。したがって、頭部突起３２は乗り越え斜面３３と係止面３４と稜線部３５と谷部３６を備えた山形であり、乗り越え斜面３３、係止面３４のサイズ、傾斜角度、稜線部３５及び谷部３６の円弧半径等を座金１（図１（ａ））の座金突起６と同じにして、座金突起６と噛み合うようにしてある。この稜線部３５の頂部及び谷部３６の底部も円弧状にして、頭部突起３２が座金突起６を乗り越えても欠損し難く、プレス金型の稜線部成型箇所も成型時に欠損し難くなるようにしてある。
【００３８】
［ナット、ボルトの使用例］
図６（ａ）のナット２０、図６（ｂ）のボルト３０は、図７のようにして使用することができる。
（１）ボルト３０のボルト軸３８に、図１（ａ）の座金１をセットしてから、ボルト３０を重ねてある二枚の板材（対象物）４０、４１の上から差し込み、下板４０の下に突出したボルト軸３８に図１（ａ）の座金１を被せ、その下から図６（ａ）のナット２０をボルト軸３８に螺合する。
（２）前記状態で、ナット２０を締め付け回転させると、ナット２０の頭部突起２１が座金１の座金突起６を乗り越えて回転して座金１を下板４０に押し付けて、座金1の裏面の食い込み突起８が下板４０に食い込む。この場合、座金１の食い込み突起８の食い込みにより盛り上がる下板４０の肉が窪み部１３（図１（ｅ））内に入って、緩み回転（戻り回転）が防止される。このとき、ナット２０の頭部突起２１が座金１の座金突起６を乗り越えて回転する。ナット２０の締め付け回転終了後は、頭部突起２１の係止面２３が座金突起６の係止面１０に係止してナット２０の逆回転（戻り回転）が阻止される。
【００３９】
前記ナット２０の締め付けに代えてボルト３０を締め付けることもできる。この場合もナットを締め付ける場合と同様に締め付けることができ、逆回転（戻り回転）が阻止される。
【００４０】
（座金付きナットの実施形態２）
座金付きナットの実施形態１は、一つのナットに座金を一枚取り付けた場合であるが、本発明の座金付きナットは、一つのナット２０に座金を二枚以上取り付けることも可能である。図８（ａ）〜（ｃ）に示す実施形態では座金１を二枚取り付けた場合である。
【００４１】
図８（ａ）に示す座金付きナット２６のナット２０は、図２（ｂ）のナット２０と同じ構造であり、異なるのは連結軸２７が図２（ｂ）の連結軸２７よりも長いことである。図８（ａ）〜（ｃ）では連結軸２７に上座金１ｂと下座金１ａを重ねて連結軸２７にセットし、連結軸２７の先端部２８を拡径して又は折り返して下座金１ａをカシメて、上座金１ｂと下座金１ａを連結軸２７にその軸方向にスライド可能に取り付けて、抜けないようにしてある。
【００４２】
図８（ｂ）（ｃ）の二枚の座金１ａ、１ｂのうち、下座金１ｂはカシメ凹部１４を備えており、図１（ｃ）に示す座金１と同じものであるが、上座金１ｂは前記座金１と異なる構造である。具体的には下座金１ａのカシメ凹部１４、下座金１ａの食い込み突起８に相当するものがなく、座金１の表面に山形の上座金表面突起１６を、裏面に山形の上座金裏面突起１７を備えたものである。上座金表面突起１６はナット２０の頭部突起２１と噛み合うものであり、上座金裏面突起１７は下座金１ａの座金突起６と噛み合うものである。このため、これら上座金表面突起１６、上座金裏面突起１７は、座金突起６、頭部突起２１と同様に、乗り越え斜面９、係止面１０、稜線部１１及び谷部１２を備え、稜線部１１の頂部、谷部１２の底部を円弧状にして連続波状にし、乗り越え斜面９、係止面１０の傾斜角度を座金突起６、頭部突起２１の傾斜角度と同様にしてある。
【００４３】
［座金付きナットの使用例］
図８（ｃ）の座金付きナット２６と図９（ｃ）の座金付きボルト３７を使用するには、図９（ａ）〜（ｃ）のようにすることができる。図９（ｃ）の座金付きボルト３７を、連結する二枚の板材（連結物）４０、４１の穴に差し込み、下板４０から突出した座金付きボルト３７のボルト軸３８に、図８（ｃ）の座金付きナット２６を下板４０の下から螺合して締め付ける。この場合は、ナット２０の頭部突起２１と上座金１ｂの上座金表面突起１６が噛み合い、上座金裏面突起１７と下座金１ａの座金突起６が噛み合い、下座金１ａの食い込み突起８が下板４０に食い込むため、二重のロックになって、ナット２０がより一層緩みにくくなる。
【００４４】
（座金付きボルトの実施形態２）
図９（ｂ）の座金付きボルト３７は、ボルト３０の頭部３１から突出しているボルト軸（螺子なし軸）３８に上座金１ｂ、下座金１ａを二枚被せてから、ボルト軸３８の外周面に螺子３９を形成して（切って）、螺子山付きボルト軸３８にして、座金１ａ、１ｂが螺子山付きボルト軸３８から抜け落ちないようにしてある。二枚の座金１ａ、１ｂは螺子山なしのボルト軸３８の根元に取り付けてある。これら座金１ａ、１ｂはボルト軸３８の周囲を回転可能で、ボルト軸３８の軸方向にスライド可能である。この場合、下座金１ａ及び上座金１ｂは図８（ａ）〜（ｃ）の下座金及び上座金と同じものである。
【００４５】
（座金付きナットの実施形態３）
図８（ｃ）の座金付きナット３７は、他のボルトに螺合して使用することもできる。前記食い込み突起８は、板材４０、４１に食い込んだり、圧接したりすることができるものであればどのようなものであってもよい。板材４０、４１に傷付き易い材質の場合は、ゴム製或いは樹脂製の突起にして、圧接しても傷付きにくく、滑りにくくするのが望ましい。板材４０、４１の材質が硬質の場合は、それよりも硬質材のスパイク状の突起などを使用することができる。また、弾力性のあるバネ等であってもよい。それら突起は、座金裏面に埋め込んだり、接着固定したりすることができる。座金突起の数、設置場所等も用途に合わせて適宜設計することができる。
【００４６】
本発明における稜線部及び谷部の円弧の半径は、連続方向に全てが同じものであってもよく、全て又は一部が異なるものであってもよい。
【００４７】
図１０（ａ）（ｂ）に示す山形は、稜線部３５及び谷部３６が円弧状であることにおいて前記した各種実施形態の場合と同じであるが、稜線部３５から谷部３６までに寸法を長くし（谷を深くし）、乗り越え斜面３３を締め付け回転方向に緩い傾斜にし、係止面３４を逆回転（緩み回転）方向に乗り越え斜面３３よりも急斜面にしたものである。前記いずれの実施形態においても乗り越え斜面、係止面は図１０（ａ）（ｂ）と同様にすることもできる。
【産業上の利用可能性】
【００４８】
前記実施形態では、螺子類が座金、ナット、ボルト、座金付きナット、座金付きボルトに関するものであるが、これらの緩み止め構造は、他の螺子類やゴルフシューズの鋲などの緩み止め構造として利用することもできる。
【符号の説明】
【００４９】
１    座金
１ａ  下座金
１ｂ  上座金
２    貫通孔
３    （貫通孔の外側の）表面内周縁
４    （座金の）表面外周部
５    表面高台部
６    座金突起
６ａ  （座金突起の）根元部分
７    無突起部
８    食い込み突起
８ａ  （食い込み突起の）先端部
８ｂ  （食い込み突起の）根元
９    （座金の）乗り越え斜面
１０    （座金の）係止面
１１    （座金の）稜線部
１２    （座金の）谷部
１３    窪み部
１４    （座金の）カシメ凹部
１６    上座金表面突起
１７    上座金裏面突起
２０    ナット
２０ａ  （ナットの）裾
２１    （ナットの）頭部突起
２２    （ナットの）乗り越え斜面
２３    （ナットの）係止面
２４    （ナットの）稜線部
２５    （ナットの）谷部
２６    座金付きナット
２７    （ナットの）連結軸
２８    （連結軸の）先端部
３０    ボルト
３１    （ボルトの）頭部
３２    （ボルトの）頭部突起
３３    （ボルトの）乗り越え斜面
３４    （ボルトの）係止面
３５    （ボルトの）稜線部
３６    （ボルトの）谷部
３７    座金付きボルト
３８    ボルト軸
３９    螺子
４０    下板（板材：対象物）
４１    上板（板材：対象物）
【図１】
2017110787.tif 000003
【図２】
2017110787.tif 000004
【図３】
2017110787.tif 000005
【図４】
2017110787.tif 000006
【図５】
2017110787.tif 000007
【図６】
2017110787.tif 000008
【図７】
2017110787.tif 000009
【図８】
2017110787.tif 000010
【図９】
2017110787.tif 000011
【図１０】
2017110787.tif 000012